(57)【要約】      （修正有）【課題】ビルの建築現場などにおいて吊りチェーンによって鉄骨などの長尺資材を安全に吊り上げることができる吊り具を提供する。【解決手段】左右の脚部１１Ａの一端間を連結部１１Ｂで連結するベース１１と、一方の脚部１１Ａに螺進退可能に取付けられ、螺進される先端と他方の脚部１１Ａとの間で資材Ｗを締付けて保持する締結ねじ１２と、ベース１１の連結部１１Ｂに設けられ、第１の方向に延びるガイド杆部１３Ａの両端部が連結部１１Ｂに固定されてガイド穴が構成されたガイド部１３と、ガイド穴に挿通されて連結され、ガイド杆部１３Ａによって変位又はスライド可能となった第１のリング部１４と、第１のリング部１４に挿通されて連結され、第１のリング部１４によって変位又はスライド可能となっている第２のリング部１５と、第２のリング部１５に回転軸１６回りに回動可能に取付けられ、吊りチェーンが引っ掛け可能となっているフック１７と、を備える。【選択図】図１
2020070182.tif 000002
【特許請求の範囲】
【請求項１】
資材を吊りチェーンで吊り上げる際に用いる資材吊り具において、
左右の脚部（１１Ａ）の一端間を連結部（１１Ｂ）で連結してなる側面コ字形状のベース（１１）と、
該ベース（１１）の一方の脚部（１１Ａ）に螺進退可能に取付けられ、螺進される先端と他方の脚部（１１Ａ）との間で資材（Ｗ）を締付けて保持する締結ねじ（１２）と、
上記ベース（１１）の連結部（１１Ｂ）に設けられ、第１の方向に延びるガイド杆部（１３Ａ）の両端部が上記連結部（１１Ｂ）に固定されてガイド穴（１３Ｂ）が構成されたガイド部（１３）と、
該ガイド部（１３）のガイド穴（１３Ｂ）に挿通されて連結され、上記ガイド杆部（１３Ａ）によって変位又はスライド可能とある第１のリング部（１４）と、
該第１のリング部（１４）に挿通されて連結され、上記第１のリング部（１４）によって変位又はスライド可能となっている第２のリング部（１５）と、
上記第２のリング部（１５）に回転軸（１６）回りに回動可能に取付けられるとともに、吊りチェーンが引っ掛け可能となっているフック（１７）と、
を備えたことを特徴とする資材吊り具。
【請求項２】
資材を吊りチェーンで吊り上げる際に用いる資材吊り具において、
左右の脚部（１１Ａ）の一端間を連結部（１１Ｂ）で連結してなる側面コ字形状のベース（１１）と、
該ベース（１１）の一方の脚部（１１Ａ）に螺進退可能に取付けられ、螺進される先端と他方の脚部（１１Ａ）との間で資材（Ｗ）を締付けて保持する締結ねじ（１２）と、
上記ベース（１１）の連結部（１１Ｂ）に設けられ、第１の方向に延びるガイド杆部（１３Ａ）の両端部が上記連結部（１１Ｂ）に固定されてガイド穴（１３Ｂ）が構成されたガイド部（１３）と、
該ガイド部（１３）のガイド穴（１３Ｂ）に挿通して連結され、上記ガイド杆部（１３Ａ）によって変位又はスライド可能とあるとともに、吊りチェーンを引っ掛け可能となった第１のリング部（１４）と、
を備えたことを特徴とする資材吊り具。
【請求項３】
上記第１のリング部（１４）に挿通されて連結され上記第１のリング部（１４）に沿って変位又はスライド可能とあるとともに、吊りチェーンを引っ掛け可能となった第２のリング部（１５）をさらに備えた請求項２記載の資材吊り具。
【請求項４】
上記第２のリング部（１５）には回転軸（１６）回りに回動可能なフック（１７）が更に取付けられ、該フック（１７）には吊りチェーンが引っ掛け可能となっている請求項３記載の資材吊り具。
【請求項５】
上記フック（１７）は、Ｊ字状をなすフック本体（１７Ａ）と、該フック本体（１７Ａ）の基部と先端との間を開閉するストッパー（１７Ｂ）と、該ストッパー（１７Ｂ）を閉方向に付勢するばね部材（１７Ｃ）とから構成されている請求項１又は３記載の資材吊り具。
【発明の詳細な説明】
【技術分野】
【０００１】
本発明は資材吊り具に関し、特にビルの建築現場などにおいて吊りチェーンによって鉄骨などの長尺資材を安全に吊り上げることができるようにした吊り具に関する。
【背景技術】
【０００２】
例えば、ビルの建築現場において、Ｈ型鋼などの長尺資材を吊り具と吊りチェーンによって吊り下げて移動させることがある。
【０００３】
この種の資材吊り具にはコ字状の吊り具本体の一方の脚に締付けねじを設けるとともに、他方の脚又は両脚間の連結部分にＵ字状の掛吊り部を固定し、締付けねじの先端と他方の脚との間に長尺資材、例えばＨ型鋼の平坦な部分を挟持し、掛吊り部に吊りチェーンを挿通させ、吊りチェーンで吊り具を持ち上げてＨ型鋼を吊り下げるようにした構造が知られている。
【０００４】
しかし、現場の状況によっては資材吊り具をＨ型鋼に取付けたときに掛吊り部がＨ型鋼の下側になってしまい、吊りチェーンを掛吊り部に掛ける作業がし難い、あるいは確実に掛けることが難しいことがあった。
【０００５】
これに対し、Ｕ字状の掛吊り部を吊り具本体に締付けねじの軸線を含む平面内において回動できるように取付け、Ｈ型鋼の下側に位置する掛吊り部を上方又は側方に回動させ、吊りチェーンを掛吊り部に簡単かつ確実に掛けられるようにした資材吊り具が提案されている（特許文献１、特許文献２）。
【先行技術文献】
【特許文献】
【０００６】
【特許文献１】実開昭５９−２２８５２号公報
【特許文献２】実開平０６−８６１７号公報
【発明の開示】
【発明が解決しようとする課題】
【０００７】
しかし、特許文献１、２記載の資材吊り具では掛吊り部を１つの軸回りに回動させる構造であったので、Ｈ型鋼の端部が構造物や他のＨ型鋼と接近し、あるいは重なっていて掛吊り部を軸回りに回動させても吊りチェーンを上手く掛吊り部に引っ掛けることができないことがあった。
【０００８】
この発明はかかる問題点に鑑み、資材の端部がどのような姿勢になっても資材端部に簡単かつ確実に取り付けて吊りチェーンを安定に引っ掛けることのできるようにした資材吊り具を提供することを課題とする。
【課題を解決するための手段】
【０００９】
そこで、本発明に係る資材吊り具は、資材を吊りチェーンで吊り上げる際に用いる資材吊り具において、左右の脚部の一端間を連結部で連結してなる側面コ字形状のベースと、該ベースの一方の脚部に螺進退可能に取付けられ、螺進される先端と他方の脚部との間で資材を締付けて保持する締結ねじと、上記ベースの連結部に設けられ、第１の方向に延びるガイド杆部の両端部が上記連結部に固定されてガイド穴が構成されたガイド部と、該ガイド部のガイド穴に挿通されて連結され、上記ガイド杆部によって変位又はスライド可能となった第１のリング部と、該第１のリング部に挿通されて連結され、上記第１のリング部によって変位又はスライド可能となった第２のリング部と、該第２のリング部に回転軸回りに回動可能に取付けられるとともに、吊りチェーンが引っ掛け可能となっているフックと、を備えたことを特徴とする。
【００１０】
本発明の特徴の１つはコ字状のベースの連結部にリング形状の全部又は一部をなすガイド部を固定し、このガイド部のガイド穴に第１のリング部を挿通して連結し、第１のリング部に第２のリング部を挿通して連結し、第２のリング部にフック部を回転軸回りに回転自在に取付けるようにした点にある。
【００１１】
これにより、第１のリング部をガイド部のガイド杆部によってガイド部に対して任意の角度に変位させ、あるいは任意の位置に変位させ、又任意の角度に変位させた状態で任意の位置にスライドさせ、この（変位させスライドさせ又は元の状態の）第１のリング部に対して第２のリング部を任意の角度に変位させ、あるいは任意の位置に変位させ、又任意の角度に変位させた状態で任意の位置にスライドさせ、さらにこの（変位させスライドさせ又は元の状態の）第２のリング部に対してフック部を回転軸回りに回転させることができ、フック部をコ字状ベースに対して任意の方向を指向させ任意の位置に位置させることができる結果、資材の端部がどのような姿勢になっても吊り具を資材端部に簡単かつ確実に締付けて取り付けることができ、フック部を所望の位置又は姿勢にできるので、吊りチェーンをフック部に容易にかつ安定に引っ掛けることもできる。
【００１２】
上記ではフック部に吊りチェーンを引っ掛けるようにしたが、第１のリング部はガイド部によってコ字状ベースに対して任意の角度に変位させ、あるいは任意の位置に変位させ、又任意の角度に変位させた状態で任意の位置にスライドさせることができるので、この第１のリング部に吊りチェーンを引っ掛けるようにすることもできる。
【００１３】
即ち、本発明に係る資材吊り具は、資材を吊りチェーンで吊り上げる際に用いる資材吊り具において、左右の脚部の一端間を連結部で連結してなる側面コ字形状のベースと、該ベースの一方の脚部に螺進退可能に取付けられ、螺進される先端と他方の脚部との間で資材を締付けて保持する締結ねじと、上記ベースの連結部に設けられ、第１の方向に延びるガイド杆部の両端部が上記連結部に固定されてガイド穴が構成されたガイド部と、該ガイド部のガイド穴に挿通され、上記ガイド杆部によって上記第１の方向に変位又はスライド可能であるとともに、吊りチェーンを引っ掛け可能となった第１のリング部と、を備えたことを特徴とする。
【００１４】
本発明（第２の発明）においては第１のリング部に挿通されて連結され上記第１のリング部によって変位又はスライド可能とあるとともに吊りチェーンを引っ掛け可能となった第２のリング部をさらに備えることもできる。
【００１５】
また、第２のリング部には回転軸回りに回転可能なフックを更に取付け、該フックに吊りチェーンを引っ掛け可能となすこともできる。
【００１６】
フックは単なるリング状であってもよく、又Ｊ字状をなすフック本体と、該フック本体の基部と先端との間を開閉するストッパーと、該ストッパーを閉方向に付勢するばね部材とから構成されることもできる。
【図面の簡単な説明】
【００１７】
【図１】本発明に係る資材吊り具の好ましい実施形態を示す斜視図である。
【図２】上記実施形態を示す側面図である。
【図３】上記実施形態の正面（ａ）及び背面（ｂ）を示す図である。
【図４】第２の実施形態を示す斜視図である。
【図５】第３の実施形態を示す斜視図である。
【発明を実施するための形態】
【００１８】
以下、本発明を図面に示す具体例に基づいて説明する。図１ないし図３は本発明に係る資材吊り具の好ましい実施形態を示す。図において、資材吊り具１０はベース１１、締結ねじ１２、ガイド部１３、第１のリング部１４、第２のリング部１５及びフック１７から構成されている。
【００１９】
ベース１１は左右の脚部１１Ａと両脚部１１Ａの一端間を連結部１１Ｂで連結した側面コ字形状をなし、ベース１１の一方の脚部１１Ａには締結ねじ１２が螺進退可能に取付けられて、締結ねじ１２が螺進されることによって締結ねじ１２の先端と他方の脚部１１Ａとの間に資材、例えばＨ型鋼Ｗを締付けて保持するようになっている。
【００２０】
また、ベース１１の連結部１１Ｂにはガイド部１３が固定されている。このガイド部１３はガイド杆部１３Ａの両端部が連結されて環状をなし、連結部分がベース１１の連結部１１Ｂに溶接等によって固定され、ガイド杆部１３Ａはベース１１の連結部１１Ｂの幅方向（第１の方向）に指向され、又ガイド杆部１３Ａの内側にはガイド穴１３Ｂが構成されている。
【００２１】
ガイド部１３のガイド穴１３Ｂには第１のリング部１４が挿通してガイド部１３に連結され、第１のリング部１４はガイド杆部１３Ａによって任意の角度や位置に変位させることができ、任意の角度にさせた状態で任意の位置にスライドできるようになっている。
【００２２】
第１のリング部１４には第２のリング部１５が挿通して連結され、第２のリング部１５は第１のリング部１４によって任意の角度や位置に変位させることができ、任意の角度にさせた状態で任意の位置にスライドできるようになっている。
【００２３】
第２のリング部１５には回転軸１６が回転自在に取付けられ、該回転軸１６にはフック１７が回転自在に取付けられている。フック１７はＪ字状をなすフック本体１７Ａの基部にはストッパー１７Ｂが揺動自在に取付けられ、フック本体１７Ａの基部と先端との間はストッパー１７Ｂによって閉鎖開放されるようになっている一方、ストッパー１７Ｂにはストッパー１７Ｂを閉方向に付勢するばね部材１７Ｃが設けられている。
【００２４】
Ｈ型鋼Ｗを吊りチェーンで吊り上げる場合、吊り具１０の締結ねじ１２の先端と他方の脚部１１Ａとの間にＨ型鋼Ｗの平坦な部分を位置させ、締結ねじ１２を螺進させ、締結ねじ１２の先端と他方の脚部１１Ａとの間にＨ型鋼Ｗの平坦な部分を挟み込んで締付け、Ｈ型鋼Ｗの平坦な部分に吊り具１０を取付ける。
【００２５】
次に、第１のリング部１４をガイド部１３のガイド杆１３Ａに沿って所望の角度や位置に変位させスライドさせるとともに、第２のリング部１５を所望の角度や位置に変位させスライドさせ、その状態でフック１７を所望の姿勢に回転させる。
【００２６】
この状態ではフック１７はＨ型鋼Ｗの状況がどのようであっても、例えば他のＨ型鋼Ｗと重なり合ったり接近したりしていても、フック１７を扱いやすい位置や角度などの姿勢にすることができ、ストッパー１７Ｂを開き、吊りチェーンをフック本体１７Ａに簡単に引っ掛けることができる。
【００２７】
図４は第２の実施形態を示し、図において図１ないし図３と同一符号は同一又相当部分を示す。本例ではガイド部１３にカナビラが用いられている以外、第１の実施形態と同様である。
【００２８】
図５は第３の実施形態を示し、図において図１ないし図４と同一符号は同一又は相当部分を示す。本例ではガイド部１３及び第１のリング部１４にカナビラが用いられ、第１のリング部１４のゲートを開いてあるいはゲートを閉じたままで吊りチェーンを引っ掛けるようにしている。
【符号の説明】
【００２９】
１０      資材吊り具
１１      ベース
１１Ａ      脚部
１１Ｂ      連結部
１２      締結ねじ
１３      ガイド部
１３Ａ      ガイド杆部
１３Ｂ      ガイド穴
１４      第１のリング部
１５      第２のリング部
１６      回転軸
１７      フック
１７Ａ      フック本体
１７Ｂ      ストッパー
１７Ｃ      ばね部材
【図１】
2020070182.tif 000003
【図２】
2020070182.tif 000004
【図３】
2020070182.tif 000005
【図４】
2020070182.tif 000006
【図５】
2020070182.tif 000007